(57)【要約】      （修正有）【課題】膝当てパッドの形状を膝蓋骨の形状にフィットさせた膝用サポーターを提供する。【解決手段】膝当て用穴１１が形成された膝当て部１と、膝当て用穴１１の周囲に配置され、弾性部材で形成される膝当てパッドと、を備えた膝用サポーターであって、膝当て用穴１１が六角形に形成されると共に、膝当てパッドにも同じ方向の六角形のパッド穴が形成されている。パッド穴は、正六角形であり、水平方向に配置される辺を有する。【選択図】図１
2020168126.tif 000002
【特許請求の範囲】
【請求項１】
膝当て用穴が形成された膝当て部と、
前記膝当て用穴の周囲に配置され、弾性部材で形成される膝当てパッドと、を備えた膝用サポーターであって、
前記膝当て用穴が六角形に形成されると共に、前記膝当てパッドにも同じ方向の六角形のパッド穴が形成されていることを特徴とする膝用サポーター。
【請求項２】
前記膝当て用穴と前記パッド穴の形状はいずれも正六角形であることを特徴とする請求項１に記載の膝用サポーター。
【請求項３】
前記正六角形は、水平方向に配置される辺を有することを特徴とする請求項１又は２に記載の膝用サポーター。
【請求項４】
前記膝当てパッドの断面形状は、膝蓋骨に当接する側の面に曲面が形成され、前記当接する側と反対側の面は平面に形成されることを特徴とする請求項１〜３のいずれか１項に記載の膝用サポーター。
【請求項５】
前記断面形状において、前記パッド穴の端面側の曲面の曲率は、外周側の曲面の曲率よりも大きくなるように設定されていることを特徴とする請求項４に記載の膝用サポーター。
【発明の詳細な説明】
【技術分野】
【０００１】
本発明は、膝当て用穴が形成された膝当て部と、前記膝当て用穴の周囲に配置され、弾性部材で形成される膝当てパッドと、を備えた膝用サポーターに関するものである。
【背景技術】
【０００２】
膝用サポーターは、高齢者用や医療用などの用途で広く用いられている。特に高齢者の場合は、体勢を崩して床面に膝を突くことがあり、そのような場合であって膝への損傷を和らげることができる膝用サポーターが要求されている。かかる膝用サポーターとして、下記特許文献１に開示されるものが公知である。
【０００３】
かかる膝用サポーターは、膝宛部の膝蓋骨部に当接する位置に弾性部材（膝当てパッド）を配設し、この弾性部材は、楕円型のドーナツ状に形成されている。
【先行技術文献】
【特許文献】
【０００４】
【特許文献１】特開平９−２８７２４号公報
【発明の概要】
【発明が解決しようとする課題】
【０００５】
しかしながら、楕円形の穴は膝蓋骨の形状にフィットしておらず、穴と膝蓋骨の外形の間に隙間が形成される箇所（面積）が多くなってしまう。その結果、膝当てパッドの効果を十分に発揮できていない面があった。
【０００６】
本発明は上記実情に鑑みてなされたものであり、その課題は、膝当てパッドの形状を膝蓋骨の形状にフィットさせた膝用サポーターを提供することである。
【課題を解決するための手段】
【０００７】
上記課題を解決するため本発明に係る膝用サポーターは、
膝当て用穴が形成された膝当て部と、
前記膝当て用穴の周囲に配置され、弾性部材で形成される膝当てパッドと、を備えた膝用サポーターであって、
前記膝当て用穴が六角形に形成されると共に、前記膝当てパッドにも同じ方向の六角形のパッド穴が形成されていることを特徴とするものである。
【０００８】
かかる構成による膝用サポーターの作用・効果を説明する。この構成によると、膝当て用穴とパッド穴の双方が同じ方向の六角形に形成されている。円形や楕円形にするよりも膝蓋骨の形状にフィットしており、穴と膝蓋骨の間の隙間を極力小さくすることができる。従って、膝当てパッドの形状を膝蓋骨の形状にフィットさせた膝用サポーターを提供することができる。
【０００９】
本発明において、前記膝当て用穴と前記パッド穴の形状はいずれも正六角形であることが好ましい。これにより、膝蓋骨の形状にフィットさせることができる。
【００１０】
本発明に係る前記正六角形は、水平方向に配置される辺を有することが好ましい。これにより、膝蓋骨の形状によりフィットさせることができる。
【００１１】
本発明に係る前記膝当てパッドの断面形状は、膝蓋骨に当接する側の面に曲面が形成され、前記当接する側と反対側の面は平面に形成されることが好ましい。
【００１２】
かかる形状にすることで、膝蓋骨に対して膝当てパッドを当てるときの感触が柔らかくなり、フィット感を向上させることができる。また、曲面を形成することで、膝蓋骨周囲と接触する表面積を増加して、フィット感を向上させることができる。
【００１３】
本考案に係る前記断面形状において、前記パッド穴の端面側の曲面の曲率は、外周側の曲面の曲率よりも大きくなるように設定されていることが好ましい。
【００１４】
かかる形状に設定することで、さらにフィット感を向上させることができる。
【図面の簡単な説明】
【００１５】
【図１】本実施形態に係る膝用サポーターの裏面側の外観図
【図２】本実施形態に係る膝用サポーターの表面側の外観図
【図３】本実施形態に係る膝用サポーターに用いられる膝当てパッドの平面図
【図４】図３の膝当てパッドの側面図
【図５】図３の膝当てパッドのＡ−Ａ断面図
【図６】膝用サポーターの使用状態を示す図
【図７】膝蓋骨の形状を示す図
【図８】膝蓋骨の形状と本発明の膝当てパッドの関係を示す図
【図９】膝蓋骨の形状と従来の膝当てパッドの関係を示す図
【発明を実施するための形態】
【００１６】
本発明に係る好適な実施形態をまず説明する。図１は、本実施形態に係る膝用サポーターの裏面側（膝に当てられる側）の外観図である。図２は、表面側の外観図である。図３は、膝用サポーターに用いられる膝当てパッドの平面図である。図４は、図３に示す膝当てパッドの側面図である。図５は、図３のＡ−Ａ断面図である。
【００１７】
＜膝用サポーターの構成＞
膝用サポーターは、高齢者用や医療用などの用途で広く用いられているが、本発明としては、特定の用途に限定されるものではない。図１に示すように、膝用サポーターは、展開した状態で、概略横長形状である。膝の膝蓋骨に該当する位置に宛がわれるのが膝当て部１である。膝当て部１の内部には、シリコン（弾性部材）で形成された膝当てパッドが収納されている。膝当てパッドの詳細については後述する。
【００１８】
裏面側の第１本体部２のほぼ中央部に膝当て部１が位置する。膝当て部１には膝当て用布１０が縫製１２により、第１本体部２を構成する布に結合されている。膝当て部１の中央には膝当て用穴１１が形成されており穴の形状は正六角形である。正六角形には水平方向に配置される辺を含む。
【００１９】
第１本体部２の端部２０は円弧状に形成される。端部２０と膝当て部１の間に第１細長部２１があり、内部にスプリング部材（不図示）が封入されている。第１細長部２１と同様に第２細長部２２が設けられており、これらの間に膝当て部１が配置される。第２細長部２２にも同じスプリング部材が封入される。これらスプリング部材により、ひざを両側面より保持し、ぐらつきを抑制する。
【００２０】
第１本体部２に隣接して裏面側の第２本体部３が設けられており、一対の第１締結帯３０と、この第１締結帯３０の間に設けられる第２締結帯３１が設けられている。第１締結帯３０の方が、第２締結帯３１よりも長さが長くなっている。第２本体部３は第１本体部１と同じ布地で形成される。第１本体部２と第２本体部３の間に第２細長部２２が位置する。
【００２１】
第１締結帯３０と第２締結帯３１の先端には第１面ファスナー４が設けられている。また、第１締結帯３０には、第１面ファスナー４よりも面積の小さな第２面ファスナー５が設けられている。
【００２２】
膝用サポーターの長手方向に沿った端部には、シリコンゴムで形成された滑り止め６が設けられている。滑り止め６は、二重の波型形状に形成されている。これにより、膝用サポーターを使用したときに滑らないようにしっかりと膝に固定させることができる。
【００２３】
図２は表面側から見た図であり、膝用サポーターを膝に巻き付けて使用したときに外観に表われる側になる。表面側には第１本体部７と第２本体部８を有しており、裏面側の第１本体部２と第２本体部３とは異なる素材の布地が使用されている。ただし、面ファスナー４，５による結合が可能な素材が選択される。表裏の布地は、適宜の箇所で縫製により結合される。
【００２４】
＜膝当てパッドの構成＞
図３〜図５により膝当てパッド９の構成を説明する。素材はシリコンにより形成される。なお、弾性を有していればよいのでシリコン以外の素材を用いてもよい。膝当てパッド９は、平面視でリング状に形成され、中央に正六角形のパッド穴９０が形成される。なお、辺と辺の交点は小さなＲにより形状が繋がれるが、かかる場合も正六角形（あるいは六角形）とみなす。外周の形状は円形である。膝当て用穴１１と同様に、正六角形には水平方向に配置される辺を含む。すなわち、同じ方向の正六角形である。膝当て用穴１１とパッド穴９０の形状は相似形である。
【００２５】
図３は、膝に宛がわれる面を示す。膝当て面９２は、曲面を含む面で構成され、反対側の非膝当て面９１は、平面により構成される。図５に示すように、膝当て面９２は、平面９２ａと内側曲面９２ｂ、外側曲面９２ｃにより構成される。平面９２ａは、非膝当て面９２と平行である。内側曲面９２ｂは、パッド穴９０の端面側であり、外側曲面９２ｃは膝当てパッド９の外周側である。
【００２６】
内側曲面９２ｂを形成することで、膝蓋骨周囲と接触する表面積を増加して、フィット感を向上させることができる。また、内側曲面９２ｂは、曲面と斜面の組み合わせであってもよい。曲面を大きくかつ斜面をなだらかに設定すれば、よりフィット感を向上させることができる。
【００２７】
内側曲面９２ｂの曲率は外側曲面９２ｃの曲率よりも大きくなるように設定されている。例えば、図５の断面において、内側曲面９２ｂはＲ２０ｍｍ程度の円弧であり、外側曲面９２ｃはＲ５ｍｍ程度の円弧である。もちろん、円弧形状でなくてもよい。
【００２８】
その他の寸法の例として、外周の径は１００ｍｍ程度である。パッド穴９０の向かい合う辺どうしの距離は５０ｍｍ程度である。また、膝当てパッド９の最大厚みは５ｍｍ程度である。ただし、特定の寸法に限定されるものではない。
【００２９】
＜使用状態＞
図６は、膝用サポーターを膝に巻いて使用した状態を示す図である。図１に示す面（裏面側）を膝にあて巻きつける。第１締結帯３０と第２締結帯３１を表側の第１本体部７の面に係止させることで、巻き付けが完成する。この場合、膝蓋骨の位置に膝当て用穴１１が位置するように合わせてから巻き付ける。なお、裏面の膝当て部１は、膝当てパッド９の厚みの分だけ突出するような形状になっている。
【００３０】
図７は、膝蓋骨の形状を符号Ａで示している。図８は、本発明による膝当てパッド９を宛がった状態を示しており、膝蓋骨の形状にフィットしている。図９は、円形の穴が形成された膝当てパッドを宛がった状態を示す。膝蓋骨の形状と穴との間に大きな隙間が形成され、フィット感が低下する。
【００３１】
＜別実施形態＞
本発明において、膝当てパッド以外のサポーターの構成については、本実施形態に限定されるものではなく、種々の変形例が考えられる。
【００３２】
本発明において、六角形の具体例として正六角形を示したが、これに限定されるものではない。例えば、各辺の長さが異なる六角形であってもよい。また、内角も１２０゜に限定されるものではなく、他の角度を有する六角形であってもよい。
【符号の説明】
【００３３】
１        膝当て部
１０      膝当て用布
１１      膝当て用穴
２        第１本体部
３        第２本体部
３０      第１締結帯
３１      第２締結帯
４        第１面ファスナー
５        第２面ファスナー
７        第１本体部
８        第２本体部
９        膝当てパッド
９０      パッド穴
９１      非膝当て面
９２      膝当て面
９２ａ    平面
９２ｂ    内側曲面
９２ｃ    外側曲面
【図１】
2020168126.tif 000003
【図２】
2020168126.tif 000004
【図３】
2020168126.tif 000005
【図４】
2020168126.tif 000006
【図５】
2020168126.tif 000007
【図６】
2020168126.tif 000008
【図７】
2020168126.tif 000009
【図８】
2020168126.tif 000010
【図９】
2020168126.tif 000011